(57)【要約】【課題】作業端に設置された弾性ループの形状が、人体器官の曲線に応じて漸進的に弾性変化し、ハンドルに加える力の制御に有利である、空間形状が変化するマッサージ器を提供すること。【解決手段】縦軸線Ｓを有し、結合端１１が設けられたハンドル１０と、結合端１１に結合される根部２１が設けられ、縦軸線Ｓの方向に沿って延びる弾性ループ２０を含み、弾性ループ２０は、遠端が弧状に折り返す封鎖端２３となり、根部２１から弧状の封鎖端２３に向かって次第に幅が広がる水滴型の輪郭を有し、弾性ループ２０の立体形状が弾性変形可能であり、根部２１から封鎖端２３位置までの中段部の弾性応力分布が、縦軸線Ｓの方向に沿って漸進的に変化する。【選択図】図１
0003207731.tif 000002
【実用新案登録請求の範囲】
【請求項１】
空間形状が変化するマッサージ器であって、人体器官にソフトに作用するマッサージ器であり、
縦軸線を有し、結合端が設けられたハンドルと、
前記結合端に結合される根部が設けられ、前記縦軸線の方向に沿って延びる弾性ループを含み、前記弾性ループは、前記根部と逆側の遠端が弧状に折り返す封鎖端となり、前記根部から弧状の前記封鎖端に向かって次第に幅が広がる水滴型の輪郭を有し、前記弾性ループの立体形状が弾性変形可能であり、前記根部から封鎖端位置までの中段部の弾性応力分布が、前記縦軸線の方向に沿って漸進的に変化することを特徴とする、空間形状が変化するマッサージ器。
【請求項２】
前記中段部の弾性応力の変化が、前記根部から前記封鎖端位置の方向に逓減されながら分布されることを特徴とする、請求項１に記載の空間形状が変化するマッサージ器。
【請求項３】
前記弾性ループの内部に中空管路が貫通され、前記中空管路の中に弾性線棒が設置され、前記弾性線棒が前記根部に結合される定着端を備え、前記弾性線棒の弾性応力が前記定着端から遠端の封鎖区間位置まで逓減されることを特徴とする、請求項１に記載の空間形状が変化するマッサージ器。
【請求項４】
前記弾性ループの内部に中空管路が貫通され、前記中空管路の中にコイルばねが設置され、前記コイルばねの一巻きの螺旋部分間の間隔を調整することにより、発生する弾性応力が前記根部から遠端の封鎖端位置まで逓減されることを特徴とする、請求項１に記載の空間形状が変化するマッサージ器。
【請求項５】
前記弾性ループの内部に中空管路が貫通され、前記中空管路の中に複数の振動部材が分布され、前記振動部材が電線を介して外部から動作電力を取得することを特徴とする、請求項１に記載の空間形状が変化するマッサージ器。
【請求項６】
前記弾性ループの材質が光学的屈折性を備え、内部に中空管路が貫通され、前記中空管路の中に、少なくとも１個以上の発光部材が設置され、前記発光部材が電線を介して外部から動作電力を取得し、その発する光線が、前記弾性ループの表面から屈折されて射出されることを特徴とする、請求項１に記載の空間形状が変化するマッサージ器。
【請求項７】
前記弾性ループの材質が光学的屈折性を備え、内部に中空管路が貫通され、前記中空管路の中に光ファイバが設置され、前記光ファイバが前記根部で終結する端口位置に入光面が設けられ、該入光面が、前記ハンドルの結合端内部に設けられた投光部材から伝播光源を取得することを特徴とする、請求項１に記載の空間形状が変化するマッサージ器。
【請求項８】
前記弾性ループの外側表面に、振動波を伝達可能な補助マッサージ体が設置され、該補助マッサージ体の中央部に前記弾性ループと同じ縦軸線方向に長孔状の穿口が貫通され、前記弾性ループに設けられた２つの前記根部を跨いだ外側表面の距離を調整することにより、この距離と前記穿口の長さとが対応されることを特徴とする、請求項１に記載の空間形状が変化するマッサージ器。
【請求項９】
前記ハンドルの二側に、前記縦軸線に沿った平行の２つの凹溝が設けられ、前記弾性ループに設けられた前記２つの根部が、そこから延伸された中段部を含めて、前記凹溝に摺動可能に挿入され、前記ハンドルの結合端位置に、径方向に前記根部またはそこから延伸された中段部をロック固定できるロック固定装置が設置されたことを特徴とする、請求項１に記載の空間形状が変化するマッサージ器。
【請求項１０】
前記２つの凹溝内部に、縦軸線方向と平行で、前記根部へ電力を供給する導電軌道と、前記２つの根部からそれぞれ延伸されて前記導電軌道に摺動接触するスライド端子がそれぞれ配置されたことを特徴とする、請求項９に記載の空間形状が変化するマッサージ器。
【請求項１１】
前記弾性ループの中段部表面に、複数の節状に突出した球面が前後に間をあけて分布されたことを特徴とする、請求項１に記載の空間形状が変化するマッサージ器。
【請求項１２】
前記弾性ループの材質が弾性と可塑性を備え、内部に前記中空管路が設けられ、前記球面が、複数のアーチ体を前記中空管路に嵌入することにより外側に盛り上がらせて形成されたことを特徴とする、請求項１１に記載の空間形状が変化するマッサージ器。
【請求項１３】
前記アーチ体の内部に、前記弾性ループの中空管路の方向に沿って、穿孔が貫通されたことを特徴とする、請求項１２に記載の空間形状が変化するマッサージ器。
【請求項１４】
前記弾性ループの封鎖端が機械的強度を有する弧形の被着端であり、該被着端に被着部材を被せて設置可能であり、前記被着部材が前記弾性ループの発生する弾性応力及び／又は振動波を伝達することを特徴とする、請求項１に記載の空間形状が変化するマッサージ器。
【請求項１５】
前記被着部材が軟質の弾性舌片であり、前記弾性舌片の一面がタッチ面であり、前記弾性舌片の一端に挿入口が開設され、該挿入口に前記弾性ループの前記被着端が挿入されることを特徴とする、請求項１４に記載の空間形状が変化するマッサージ器。
【請求項１６】
前記被着部材が弧形カバーであり、弧形の外囲が凹陥されて装入溝が設けられ、該装入溝が前記被着端の内縁に掛止され、前記被着部材の内弧縁部に軟質の弧形タッチ部が設けられたことを特徴とする、請求項１４に記載の空間形状が変化するマッサージ器。
【考案の詳細な説明】
【技術分野】
【０００１】
本考案は、人体器官にソフトに作用し、作業端に設けられた弾性ループの立体形状を漸進的に弾性変化させることができる、空間形状が変化するマッサージ器に関する。
【背景技術】
【０００２】
電動モーターの小型化により、特許文献１に記載のようなポータブルバイブレーターが生み出された。これは、手で操作して運動させる柱状の女性用マッサージ器単体であるが、同じＡ６１Ｈ０１９のカテゴリには多くの実用的な設計のものがある。
さまざまな設計において提供されている器材には、柱、球、片、筒等の形状のものがあるが、力の伝達においては弾性的な応力分布が必要であり、まだ改善の余地がある。
【先行技術文献】
【特許文献】
【０００３】
【特許文献１】米国特許出願第６０５６１６号明細書
【考案の概要】
【考案が解決しようとする課題】
【０００４】
本考案が解決しようとする課題は、上述の問題を解決し、作業端に設置された弾性ループの形状が、人体器官の曲線に応じて漸進的に弾性変化し、ハンドルに加える力の制御に有利である、空間形状が変化するマッサージ器を提供することにある。
【０００５】
本考案の第２の目的は、振動波が弾性ループ表面から出力され、人体の敏感な部位に刺激を与え、リラックス効果を発揮する、空間形状が変化するマッサージ器を提供することにある。
本考案の第３の目的は、弾性ループ表面から光線を照射させ、暗い場所での探査に便利である、空間形状が変化するマッサージ器を提供することにある。
本考案の第４の目的は、補助マッサージ体が弾性ループの発生する振動波を伝達し、振動の補助として、その他周辺部位をマッサージすることができる、空間形状が変化するマッサージ器を提供することにある。
【０００６】
本考案の第５の目的は、前記弾性ループのハンドルから延伸される長さを調整し、異なる器官のサイズのニーズに対応できる、空間形状が変化するマッサージ器を提供することにある。
本考案の第６の目的は、前記弾性ループの中段部表面に突出した球面により、器官の敏感な点に対して、断続的なマッサージを形成することができる、空間形状が変化するマッサージ器を提供することにある。
本考案の第７の目的は、前記弾性ループの末端の被着端に被せられた弾性舌片または弧形カバーが弾性ループの発生する振動波を伝達し、別の種類のタッチとマッサージを提供できる、空間形状が変化するマッサージ器を提供することにある。
【課題を解決するための手段】
【０００７】
本考案の空間形状が変化するマッサージ器は、縦軸線を有し、結合端が設けられたハンドルと、前記結合端に結合される根部が設けられ、前記縦軸線の方向に沿って延びる弾性ループを含み、前記弾性ループは、前記根部と逆側の遠端が弧状に折り返す封鎖端となり、前記根部から弧状の前記封鎖端に向かって次第に幅が広がる水滴型の輪郭を有し、前記弾性ループの立体形状が弾性変形可能であり、前記根部から封鎖端位置までの中段部の弾性応力分布が、前記縦軸線の方向に沿って漸進的に変化する。
【０００８】
以下の構成を採用しても良い。
前記中段部の弾性応力の変化が、前記根部から前記封鎖端位置の方向に逓減されながら分布される構成。
前記弾性ループの内部に中空管路が貫通され、前記中空管路の中に弾性線棒が設置され、前記弾性線棒が前記根部に結合される定着端を備え、前記弾性線棒の弾性応力が前記定着端から遠端の封鎖区間位置まで逓減される構成。
前記弾性ループの内部に中空管路が貫通され、前記中空管路の中にコイルばねが設置され、前記コイルばねの一巻きの螺旋部分間の間隔を調整することにより、発生する弾性応力が前記根部から遠端の封鎖端位置まで逓減される構成。
前記弾性ループの内部に中空管路が貫通され、前記中空管路の中に複数の振動部材が分布され、前記振動部材が電線を介して外部から動作電力を取得する構成。
【０００９】
前記弾性ループの材質が光学的屈折性を備え、内部に中空管路が貫通され、前記中空管路の中に、少なくとも１個以上の発光部材が設置され、前記発光部材が電線を介して外部から動作電力を取得し、その発する光線が、前記弾性ループの表面から屈折されて射出される構成。
前記弾性ループの材質が光学的屈折性を備え、内部に中空管路が貫通され、前記中空管路の中に光ファイバが設置され、前記光ファイバが前記根部で終結する端口位置に入光面が設けられ、該入光面が、前記ハンドルの結合端内部に設けられた投光部材から伝播光源を取得する構成。
【００１０】
前記弾性ループの外側表面に、振動波を伝達可能な補助マッサージ体が設置され、該補助マッサージ体の中央部に前記弾性ループと同じ縦軸線方向に長孔状の穿口が貫通され、前記弾性ループに設けられた２つの前記根部を跨いだ外側表面の距離を調整することにより、この距離と前記穿口の長さとが対応される構成。
前記ハンドルの二側に、前記縦軸線に沿った平行の２つの凹溝が設けられ、前記弾性ループに設けられた前記２つの根部が、そこから延伸された中段部を含めて、前記凹溝に摺動可能に挿入され、前記ハンドルの結合端位置に、径方向に前記根部またはそこから延伸された中段部をロック固定できるロック固定装置が設置された構成。
この場合、前記２つの凹溝内部に、縦軸線方向と平行で、前記根部へ電力を供給する導電軌道と、前記２つの根部からそれぞれ延伸されて前記導電軌道に摺動接触するスライド端子がそれぞれ配置された構成。
【００１１】
前記弾性ループの中段部表面に、複数の節状に突出した球面が前後に間をあけて分布された構成。
この場合、前記弾性ループの材質が弾性と可塑性を備え、内部に前記中空管路が設けられ、前記球面が、複数のアーチ体を前記中空管路に嵌入することにより外側に盛り上がらせて形成された構成。
さらに、前記アーチ体の内部に、前記弾性ループの中空管路の方向に沿って、穿孔が貫通された構成。
【００１２】
前記弾性ループの封鎖端が機械的強度を有する弧形の被着端であり、該被着端に被着部材を被せて設置可能であり、前記被着部材が前記弾性ループの発生する弾性応力及び／又は振動波を伝達する構成。
この場合、前記被着部材が軟質の弾性舌片であり、前記弾性舌片の一面がタッチ面であり、前記弾性舌片の一端に挿入口が開設され、該挿入口に前記弾性ループの前記被着端が挿入される構成。
或いは、前記被着部材が弧形カバーであり、弧形の外囲が凹陥されて装入溝が設けられ、該装入溝が前記被着端の内縁に掛止され、前記被着部材の内弧縁部に軟質の弧形タッチ部が設けられた構成。
【考案の効果】
【００１３】
本考案によれば、弾性ループが人体器官の曲線に合わせて漸進的に弾性変形するので、マッサージを行うとき、ハンドルへの施力で指向的に操作することで、弾性ループも外力を受けてさまざまな変形率で漸進的に変形し、この結果、弾性ループの中段部を均一に器官表面に接触させることができ、人体器官にソフトなマッサージを満遍なく施すことができる。
【図面の簡単な説明】
【００１４】
【図１】本考案の実施例１を示すマッサージ器の平面図である。
【図２】本考案の実施例１に係るマッサージ器の操作方法を説明する図である。
【図３】本考案の実施例１に係るマッサージ器の他の操作方法を説明する図である。
【図４】本考案の実施例１を示すマッサージ器の変形時における平面図である。
【図５】本考案の実施例１を示すマッサージ器の使用時における斜視図である。
【図６】本考案の実施例１に係る弾性ループの弾性応力分布曲線を示す図である。
【図７】本考案の実施例１に係る弾性ループの変形率分布曲線を示す図である。
【図８】本考案の実施例１に係る弾性ループの一部を破断した平面図である。
【図９】本考案の実施例１に係る弾性ループの弾性部材の配置を示す図である。
【図１０】本考案の実施例２に係る弾性ループの一部を破断した平面図である。
【図１１】本考案の実施例３に係る弾性ループの振動部材配置状況を示す模式図である。
【図１２】本考案の実施例４に係る弾性ループの発光部材配置状況を示す模式図である。
【図１３】本考案の実施例３又は４を示すマッサージ器の一部を破断した分解平面図である。
【図１４】本考案の実施例５を示すマッサージ器の要部分解平面図である。
【図１５】本考案の実施例６を示すマッサージ器の斜視図である。
【図１６】本考案の実施例６を示すマッサージ器の補助マッサージ体位置変更状態における斜視図である。
【図１７】本考案の実施例６を示すマッサージ器の平面図である。
【図１８】本考案の実施例７を示すマッサージ器の断面図である。
【図１９】本考案の実施例８に係る弾性ループ本体の平面図である。
【図２０】本考案の実施例９を示すマッサージ器の分解斜視図である。
【図２１】本考案の実施例９を示すマッサージ器の斜視図である。
【図２２】本考案の実施例１０を示すマッサージ器の斜視図である。
【考案を実施するための形態】
【００１５】
以下、本考案の実施例を図面に基づいて詳細に説明する。
図１に示すように、本考案のマッサージ器は操作端１００及び作業端２０２で構成され、縦軸線Ｓの上にハンドル１０が設けられ、ハンドル１０の一端に結合端１１が設けられ、弾性ループ２０に設けられた根部２１が結合端１１に結合される。
弾性ループ２０の根部２１と逆側の遠端は、弧状に湾曲して折り返した封鎖端２３となっており、静態時、弾性ループ２０は、根部２１から弧状の封鎖端２３に向かって次第に幅が広がった水滴型の輪郭であり、弾性ループ２０で輪を成して囲んだ内部が内側リング２０１となっている。
弾性ループ２０は弾性と可撓性を有する本体を備え、内部に中空管路２２を設けてもよい。弾性ループ２０は、天然ラテックスまたはシリコン等の可塑性材料で成形される。
【００１６】
図２に示すように、ハンドル１０を操作して弾性ループ２０の一面に力を加え、圧力ＦＡが発生すると、弾性ループ２０の末端または中段部が人体構造３０１に接触し、弾性ループ２０が漸進的な形状の曲折変化を生じる。
図３に示すように、弾性ループ２０の一側を人体の人体構造３０１に接触させ、ハンドル１０を斜め方向に施圧すると、推進力Ｆ１と分力Ｆ３の力体系が発生し、弾性ループ２０の外形が縦軸線Ｓから偏移するほか、内側リング２０１も同時に人体構造３０１に接触して押し当てられるため変形する。
【００１７】
図４に示すように、弾性ループ２０がハンドル１０の操作により、人体の狭い形状の器官内部に前進された場合、器官両側から圧力ＦＡが加わり、弾性ループ２０の中段部が内側に向かって窄まり、かつ内側リング２０１が変形し、封鎖端２３はその弧形の湾曲応力によりその曲率ができる限り維持され、湾曲した環状の態様が維持される。
【００１８】
図５に示すように、本考案の弾性ループ２０は弾性的な変形と可撓性の変形を備え、マッサージする肢体が突出肢体３０２のような突出状である場合、内側リング２０１の内側が拡張圧力ＦＢを受け、弾性ループ２０の中段部が外側に向かって開かれ、突出肢体３０２がそれに伴って変形し、拡張圧力ＦＢの施力に相対して、弾性ループ２０も内側に向かって圧迫する作用力を生じ、ハンドル１０の操作を組み合わせ、突出肢体３０２の環状の周辺を囲むように接触させることができる。
【００１９】
図２から図５に示すように、弾性ループ２０が人体構造３０１または突出肢体３０２に押圧されることに伴って発生する圧力ＦＡまたは拡張圧力ＦＢのような外力は、立体空間の弾性的曲折変化を生じ、前記曲折変化は人体の器官または肢体の外形の曲面形状に応じて変化し、その変化が最も顕著なのは弾性ループ２０に設けた根部２１から封鎖端２３の間の中段部（図１参照）であるため、その弾性応力変化と操作の施力の伝達は、その弾性応力変化を漸進的にする必要があり、またその形状の可撓性変形率も、弾性応力に合わせて変化させる必要がある。
【００２０】
弾性応力の変化については、図６に示すように、弾性ループ２０の根部２１から封鎖端２３の間で、弾性応力分布曲線Ｅは、弾性ループ２０が平面または側面方向のどちらであっても、根部２１からＬ２の長さの位置までの間で徐々に逓減され、封鎖端２３の末端に到達すると、封鎖端２３自体の湾曲応力により、Ｌ２の後の長さ位置から、その弾性応力分布曲線Ｅが若干上向きになる。例えばハンドル１０に加えられた力が、根部２１から封鎖端２３までの区間で伝達され、ハンドル１０操作により（図１参照）、根部２１の施力がＬ１からＬ２までの長さ位置の間で漸進的に伝達される。このため、操作端１００が根部２１にかける操作力が、順に逓減されながらＬ２に伝達され、中継点の位置で伝達力が失われることがなく、操作力を効果的に弾性ループ２０の末端まで分布させることができる。
【００２１】
図７に示すように、弾性ループ２０の変形率については、単一材質で成る場合、根部２１が結合固定されており、封鎖端２３の曲線応力が残存するため、変形率が弾性ループ２０の中間の中段部位置で顕著であり、弾性ループ２０自体の材質の反応のほか、図６の弾性応力分布曲線Ｅを組み合わせる場合、前記変形率は図示された変形率分布曲線ＦＸに示す通りであり、原点からＬ２までの間で漸進的な変化を生じ、またＬｎの中段部位置で最も顕著となる。全体的な変形率はＬ１からＬ２の間で大きく、弾性ループ２０の立体的な曲折変形を充分に形成し、人体器官の形状に合わせた変形が可能である。
【００２２】
図９に示すように、上述の弾性線棒３０は弾性ループ２０の中空管路２２内部において環状に分布され、定着端３１が設けられ、定着端３１と根部２１は同体として固定結合され、定着端３１から中段部３２が延伸され、遠端に設けられた封鎖区間３３が封鎖端２３と共に構成され、弾性線棒３０の弾性応力変化を利用して、弾性ループ２０の中段部の弾性応力変化を図６の弾性応力分布曲線Ｅに合わせることができる。
【００２３】
図８に示すように、弾性ループ２０の内部に中空管路２２を設け、根部２１から封鎖端２３まで封鎖された方式で中空管路２２内に弾性補助部材を設置してもよい。前記弾性補助部材は弾性線棒３０であり、その弾性反応は図６に示す弾性応力分布曲線Ｅに合わせる。弾性線棒３０の弾性補助を利用し、弾性ループ２０に弾性力学的要求を達成させることができる。
【００２４】
図１０は本考案の実施例２を示す。
弾性ループ２０が補助を得て、その弾性応力を図６の弾性応力分布曲線Ｅの要求に合わせるために、弾性ループ２０の中空管路２２内部には、コイルばね４０を設置してもよい。コイルばね４０の弾性応力は、一巻きの螺旋部分間の間隔Ｐの調整により、図６の弾性応力分布曲線Ｅの要求に合わせることができる。
コイルばね４０は一体成形され、間隔Ｐの距離を変えることで、その径方向の弾性反応が変わり、コイルばね４０は間隔Ｐの距離の調整を経て、弾性ループ２０内部に分布され、弾性ループ２０の要求に応じた弾性応力分布を同様に提供することができる。
【００２５】
図１１は、本考案の実施例３を示す。
弾性ループ２０は前述のような弾性形状応変を備え、弾性ループ２０内部には中空管路２２が設けられており、中空管路２２内部は弾性ループ２０の前後に沿って、主に側部の中段部(前記中段部の定義は根部２１の後から封鎖端２３に到達する前までの部分)の位置に、１個以上の振動部材５０が分布される。
振動部材５０は電線５１により外部から動作電力を取得し、振動部材５０が発生する機械的振動波が、弾性ループ２０の内側表面から外側に向かってその表面から伝達される。前記振動周波数は人体器官のマッサージに適した周波数であり、その動作エネルギーは同様に人体器官のニーズに合わせて調整される。
【００２６】
望ましくは、弾性ループ２０には複数の振動部材５０が分布され、弾性ループ２０の中段部の位置に、弾性ループ２０の立体的な弾性曲折変化に伴い、各振動部材５０が発生する振動波が、人体器官表面に接触した弾性ループ２０の各圧力状態に基づいて、相応の振動波として伝達される。
基本的に弾性ループ２０の形状は人体器官に基づいて曲折変化し（根部２１の部位を除く）、その中段部は器官の立体表面の任意箇所に均一に押し当てられるため、複数の振動部材５０が伝達する振動波は、接触する器官表面に振動エネルギーを接近させる。点状のマッサージの場合、振動部材５０を封鎖端２３の中央内部に実施して、振動による振動波を封鎖端２３の外側表面から外部に直接伝達し、点状の振動マッサージに使用することができる。
【００２７】
図１２は本考案の実施例４を示す。
弾性ループ２０は光学的屈折性を備えた材質であり、内部に中空管路２２が設けられ、根部２１から封鎖端２３までのループの線状位置に、１つ以上の発光部材６０が設置され、前記発光部材６０は電線６１により外部から動作電力を取得する。発光部材６０が発生する光線Ｂ０が、弾性ループ２０の中段部を透過して屈折され、弾性ループ２０の表面から外部に照射される。
発生する光線Ｂ０は器官を暗い場所で見つけるための利便性を提供したり、視覚的な刺激感を高めたりすることができる。さらに、発光部材６０の電光作用により発生する熱が、同様に弾性ループ２０中段部から伝達され、弾性ループ２０外側表面を温湿布のように用いることができ、前記温度は温度の緩和ニーズに合わせ、肌に負担とならないようにする。
電線６１は可撓性であり、弾性ループ２０の曲折変化とともに線が変形する。また、電線６１は弾性ループ２０の形態変化を受けるため、伸縮長さを確保しておき、発光部材６０との電気的接続を維持する。
【００２８】
実施例３及び実施例４のように弾性ループ２０の内部に電気的装置が設置される場合、図１３に示すように、弾性ループ２０の根部２１の一端に導電端子２４を突出させて設置し、ハンドル１０の結合端１１の端面に根部２１を差し込むための嵌合孔１２を設け、嵌合孔１２の底部に差込端子１４が設置される。そして、電気スイッチ１９の選択操作により、差込端子１４に対して電力を提供し、導電端子２４に伝達する。
ハンドル１０内部には電池ユニット１３が設置され、モバイル電源を装備し（図示しない）、電気スイッチ１９の操作により弾性ループ２０の方向に給電するか否かを決定することができる。
根部２１と結合端１１の結合は、圧嵌装置１５を介してもよく、圧嵌方式で根部２１の末端に設置された圧嵌溝２５に嵌入させて機械的な嵌合を形成することができる。
【００２９】
図１４は本考案の実施例５を示す。
弾性ループ２０の根部２１と封鎖端２３の間の中段部内部に中空管路２２が設けられる。弾性ループ２０は光学的屈折性を備えており、中空管路２２の内部に光ファイバ６２が敷設される。
光ファイバ６２は根部２１に向いた一端から突出されて入光面６３が形成され、この入光面６３がハンドル１０の相対端に設置された投光部材６４の発生する光線Ｂ０を伝達する。
光ファイバ６２は多芯状で中空管路２２内部に配設され、弾性ループ２０の中段部の機械的強度を高めるため、相対して弾性ループ２０はラテックスまたはシリコン類のフレキシブルな材質を使用すればよく、その機械的定型力は光ファイバ６２の支持によるものとすることができる。
光ファイバ６２は一般に高密度の可塑性材質で形成され、その線芯中段部が機械的強度を備えており、また線は細いため、その機械的強度は弾性ループ２０が必要とする変形度に影響しない。
【００３０】
図１５〜図１７は本考案の実施例６を示す。
図１５に示すように、縦軸線Ｓの前後方向に、ハンドル１０及び弾性ループ２０が設けられ、弾性ループ２０の中段部は弾性的な変形が可能であり、その内側リング２０１は外力による操作を受けて縮小し、封鎖端２３の両側間の距離も、比較的大きい外力によって挟むように圧迫されると、同様に距離が縮まって近づき、弾性ループ２０の平面外側は外力を受けて変形可能である。
この弾性ループ２０の封鎖端２３の方向から根部２１の位置へと補助マッサージ体７０を挿着することができる。補助マッサージ体７０の中央部に縦軸線Ｓと平行に長孔状の穿口７１が穿設され、穿口７１の外囲に嵌着槽７２が形成される。挿着過程では、封鎖端２３の両側の距離を圧縮し、穿口７１に根部２１を通すことができるようにし、２つの根部２１の外側表面間の距離を調整することにより、この距離と穿口７１の長さとは可動的に対応させることができる。
補助マッサージ体７０は弾性ループ２０内部で発生する振動波を受け取ることができ、封鎖端２３方向の面の両側に凸部７３を設け、人体の器官の表面に点状の振動マッサージを施し、マッサージの補助作用を形成することができる。前記マッサージ操作はハンドル１０を操作して結合端１１を押し、補助マッサージ体７０で器官の表面を圧迫できるようにして、接触圧力を変化させる。
【００３１】
図１６に示すように、両側の根部２１の外側表面間の距離は変更可能なので、この距離を穿口７１の長さに対応させ、補助マッサージ体７０を根部２１に取り付けるときは、穿口７１の外周に設けられた嵌着槽７２にハンドル１０の結合端１１を嵌合させることで、補助マッサージ体７０とハンドル１０が一体として結合される。
補助マッサージ体７０を移動区間Ａ０の距離だけ押し出すと、弾性ループ２０の内側リング２０１がそれに伴って変形する。
すると、補助マッサージ体７０から封鎖端２３までの間に作用区間Ａ１が残り、補助マッサージ体７０の位置決めにより、弾性ループ２０の作用長さを変化させ、内側リング２０１の縮小により、比較的細い器官での使用に適用することができる。同時に補助マッサージ体７０が弾性ループ２０の振動波を伝達し、器官外縁のマッサージの補助とすることができる。
【００３２】
図１７に示すように、補助マッサージ体７０の位置を変えて弾性ループ２０の中段部に向かって押し動かすと、内側リング２０１の形状が内側に窄まり、内側リング２０１は比較的細い肢体３０３に対して囲むようなマッサージをすることができ、弾性ループ２０の封鎖端２３は折曲応力を備えているため、補助マッサージ体７０の前後移動の変化を受けて、弾性ループ２０の両側が漸進的な内側への窄まりを生じ、細い肢体３０３を線形に囲む接触長さが増加される。
【００３３】
図１８は本考案の実施例７を示す。
弾性ループ２０作業端の長さを変えるために、ハンドル１０内部の縦軸線Ｓに平行な両側に２つの凹溝１６をそれぞれ設け、弾性ループ２０の両側の根部２１を、中段部を含めて凹溝１６に摺動可能に挿入し、その封鎖端２３をハンドル１０の方向に窄めて近づけると、内側リング２０１も同様にそれに伴い変形して縮小し、外側に向かって弾性ループ２０の封鎖端２３を引き出すと、その根部２１が作業端の方向に向かって引き出される。
弾性ループ２０がハンドル１０に対して出し入れされる過程においては、ロック固定装置１８で根部２１または中段部の径方向外縁をロック固定することができる。ロック固定装置１８は一般的な径方向ロック構造のロック設計であるため、ここでは説明を省略する。
【００３４】
根部２１またはその中段部が凹溝１６に対して出し入れされる過程において、前述の振動または光線発射の機械電気ニーズに対応して、弾性ループ２０に電力を導通させるために、根部２１の下端部にスライド端子２６を設置する。
スライド端子２６は凹溝１６内側表面の相対する側部に直線的に分布された導電軌道１７に接触し、スライド端子２６と導電軌道１７間は摺動接触の関係にある。両側の導電軌道１７の電気的極性は異なり、正負の極性を弾性ループ２０内部の電気的装置に供給する。導電軌道１７はハンドル１０内部に設けられたモバイル電源（図示しない）から電力を取得し、一般的な電気スイッチ１９の操作で、電気的導通を出力するか否かを決定してもよい。
【００３５】
図１９は本考案の実施例８を示す。
弾性ループ２０自体は弾性材料で成り、その外側表面に複数の球面２７を分布させる。複数の球面２７は節状に弾性ループ２０の中段部に配列され、前記節状に突出した球面２７を利用し、弾性ループ２０を操作して前後に動作させるとき、器官の特定の敏感な部位に間歇的な摺動押圧マッサージを施して刺激感を増すことができる。
球面２７は、弾性ループ２０内部に設けられた中空管路２２において形成される。中空管路２２内部は同様に発光部材６０または振動部材５０の設置に提供することができ、同様に電線５１または電線６１の配線が必要である。球面２７は立体状のアーチ体８０を包み込むように中空管路２２の内部に線状に配置して、節状に分布させ、アーチ体８０の外弧の機械的な力を利用して、弾性ループ２０表面を盛り上がらせ、球面２７を形成する。
アーチ体８０の中央に中空管路２２と平行に穿孔８１が開設され、穿孔８１に電線５１または電線６１が穿通される。
【００３６】
図２０及び図２１は本考案の実施例９を示す。
弾性ループ２０はハンドル１０に結合され、その封鎖端２３は湾曲の構造応力を備えているため、別の部材を装着して支持することができ、封鎖端２３の部位は、機械力を備えた弧状の被着端２００となっている。
被着端２００には、軟質体より成る被着部材９０を被せて取り付けることができる。この実施例では、被着部材９０は、挿入口９２を備えた弾性舌片９１であり、挿入口９２内部の両側の形状は、封鎖端２３の形状に合わせられ、かつ挿入口９２の開口幅は封鎖端２３より小さくし、封鎖端２３の部位に効果的に結合可能な被着端２００を形成し、弾性舌片９１の着脱を支持する。
弾性舌片９１の表面には弾性を備えたタッチ面９３が設けられ、タッチ面９３は弾性ループ２０内部で振動する機械的振動波を伝達でき、さらには前述のような透光性を備えることができる。
弾性舌片９１は被着端２００に被せて設置され、弾性ループ２０の弾性応力分布状態を受け取り、ハンドル１０の操作力を取得でき、根部２１からハンドル１０の操作力を効果的に取得することができる。
【００３７】
図２２は本考案の実施例１０を示す。
内側リング２０１の封鎖端２３近くの内弧に、封鎖端２３に形成された弧形に基づいて被着端２００が定義され、この被着端２００に被着部材９０が掛止される。
被着部材９０は弧形カバー９４より成り、弧形カバー９４両側の外側に向いた側面が凹陥されて装入溝９５が設けられ、弧形カバー９４の内弧縁部に軟質の弧形タッチ部９６が形成される。
装入溝９５と被着端２００を結合させた後、弾性ループ２０が出力する機械振動波または光線を伝達することができ、弧形カバー９４の外側表面から出力される。弧形タッチ部９６は人体の比較的小さい肢体の径方向側面をマッサージすることができ、その必要な操作力は、ハンドル１０から弾性ループ２０を介して発生される引っ張り力で達成される、または一部弾性ループ２０の弾性分布力を利用して、弧形カバー９４に対して上下の移動変化を行う。
【００３８】
本考案のマッサージ器は人体器官の内外形状に対応して、作業端の形状を立体的に曲折変化させることができ、ハンドル操作の操作力が漸進的に弾性ループの末端まで伝達され、その変形率も弾性曲線に応じて変化し、弾性ループが変形可能であるだけでなく、ハンドルのマッサージ操作力を順に受け取ることができる。また弾性ループ内部に振動部材を設置し、その発生する振動波を弾性ループの外側表面から直接伝達し、弾性ループが器官表面の形状に線状に触れて、発生する振動波も器官を均一な振動でマッサージすることができる。あるいは発光部材を設置して器官を暗い場所で照らすこともできる。また封鎖端の機械強度を利用して別途被着部材を装着し、多様な機能補助を発揮させることもできる。さらに、器官の構造寸法に対して弾性ループの全体形状の大きさを変えることができ、施力の伝達と表面形状の変化を同時に考慮した設計である。
【符号の説明】
【００３９】
１００    操作端
１０      ハンドル
１１      結合端
１２      嵌合孔
１３      電池ユニット 
１４      差込端子
１５      圧嵌装置
１６      凹溝
１７      導電軌道
１８      ロック固定装置
１９      電気スイッチ
２００    被着端
２０２    作業端
２０      弾性ループ
２１      根部
２２      中空管路
２３      封鎖端
２４      導電端子
２５      圧嵌溝
２６      スライド端子
２７      球面
２０１    内側リング
３０      弾性線棒
３１      定着端
３２      中段部
３３      封鎖区間
４０      コイルばね
Ｐ        間隔
Ｂ０      光線
３０１    人体構造
３０２    突出肢体
３０３    細い肢体
Ｓ        縦軸線
Ｅ        弾性応力分布曲線
ＦＸ      変形率分布曲線
ＦＡ      圧力
Ｆ１      推進力
Ｆ３      分力
ＦＢ      拡張圧力
Ａ０      移動区間
Ａ１      作用区間
５０      振動部材
５１      電線
６０      発光部材
６１      電線
６２      光ファイバ
６３      入光面
６４      投光部材
７０      補助マッサージ体
７１      穿口
７２      嵌着槽
７３      凸部
８０      アーチ体
８１      穿孔
９０      被着部材
９１      弾性舌片
９２      挿入口
９３      タッチ面
９４      弧形カバー
９５      装入溝
９６      弧形タッチ部
【図１】
0003207731.tif 000003
【図２】
0003207731.tif 000004
【図３】
0003207731.tif 000005
【図４】
0003207731.tif 000006
【図５】
0003207731.tif 000007
【図６】
0003207731.tif 000008
【図７】
0003207731.tif 000009
【図８】
0003207731.tif 000010
【図９】
0003207731.tif 000011
【図１０】
0003207731.tif 000012
【図１１】
0003207731.tif 000013
【図１２】
0003207731.tif 000014
【図１３】
0003207731.tif 000015
【図１４】
0003207731.tif 000016
【図１５】
0003207731.tif 000017
【図１６】
0003207731.tif 000018
【図１７】
0003207731.tif 000019
【図１８】
0003207731.tif 000020
【図１９】
0003207731.tif 000021
【図２０】
0003207731.tif 000022
【図２１】
0003207731.tif 000023
【図２２】
0003207731.tif 000024
【手続補正書】
【提出日】平成28年9月29日(2016.9.29)
【手続補正１】
【補正対象書類名】実用新案登録請求の範囲
【補正対象項目名】請求項１２
【補正方法】変更
【補正の内容】
【請求項１２】
前記弾性ループの材質が弾性と可塑性を備え、内部に中空管路が設けられ、前記球面が、複数のアーチ体を前記中空管路に嵌入することにより外側に盛り上がらせて形成されたことを特徴とする、請求項１１に記載の空間形状が変化するマッサージ器。